【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
食物抗原コ―ティングを含む試験表面を提供すること（ここで食物抗原コ―ティングは、連続的な方法で試験表面にアプライされている第一の食物抗原、第二の食物抗原、および第三の食物抗原を含む）；
試験表面を少なくとも１つ以上のイムノグロブリンおよび天然のイムノグロブリン―Ｃ１ｑ複合体を含む試料の一部分と接触させること；
試験表面を抗体混合物と接触させること（ここで抗体混合物は、Ｃ１ｑを対象とする第一の抗体および試料種の１つ以上のイムノグロブリンの少なくとも１つを対象とする第二の抗体を含む）；および
試験表面への試料からのイムノグロブリンの少なくとも１つおよび天然のイムノグロブリン―Ｃ１ｑ複合体の両方の結合に特有なシグナルを得ること（ここでバックグラウンドカットオフを上回るシグナル強度は陽性の結果として特性評価される）
を含む、抗体および補体プロファイルを特性評価するための方法。
【請求項２】
イムノグロブリンの少なくとも１つがＩｇＧである、請求項１に記載の方法。
【請求項３】
イムノグロブリンの少なくとも１つがＩｇＡである、請求項１または請求項２に記載の方法。
【請求項４】
第一の食物抗原、第二の食物抗原、および第三の食物抗原が異なる抽出方法により同じ食物から得られる、請求項１〜３のいずれか一項に記載の方法。
【請求項５】
第一の抗体を対象とする抗体を含む第三の抗体と試験表面を接触させることをさらに含む、請求項１〜４のいずれか一項に記載の方法であって、第三の抗体が検出可能なタグを含む、方法。
【請求項６】
第二の抗体を対象とする抗体を含む第四の抗体と試験表面を接触させることをさらに含む、請求項５に記載の方法であって、第四の抗体が検出可能なタグを含む、方法。
【請求項７】
第一および第二の抗体の両方を対象とする抗体を含む第五の抗体と試験表面を接触させることをさらに含む、請求項１〜４のいずれか一項に記載の方法であって、第五の抗体が検出可能なタグを含む、方法。
【請求項８】
第一の抗体が第一の検出可能なタグをさらに含みかつ第二の抗体が第二の検出可能なタグをさらに含む、請求項１〜４のいずれか一項に記載の方法。
【請求項９】
第一の検出可能なタグおよび第二の検出可能なタグが区別できない、請求項８に記載の方法。
【請求項１０】
第一の食物抗原コ―ティングを含む第一の試験表面を提供すること（ここで第一の食物抗原コ―ティングは、連続的な方法で試験表面にアプライされている第一の食物抗原、第二の食物抗原、および第三の食物抗原を含む）；
第二の食物抗原コ―ティングを含む第二の試験表面を提供すること（ここで第二の食物抗原コ―ティングは、連続的な方法で第二の試験表面にアプライされている第四の食物抗原、第五の食物抗原、および第六の食物抗原を含む）；
１つ以上のイムノグロブリンおよび１つ以上の天然のイムノグロブリン―Ｃ１ｑ複合体を含む試料の第一のおよび第二の部分と第一のおよび第二の試験表面を、それぞれ接触させること；
抗体混合物と第一のおよび第二の試験表面を接触させること（ここで抗体混合物は、Ｃ１ｑを対象とする第一の抗体および試料種のイムノグロブリンの少なくとも１つを対象とする第二の抗体を含む）；
第一の試験表面から、第一の試験表面への試料からのイムノグロブリンの少なくとも１つおよび天然のイムノグロブリン―Ｃ１ｑ複合体の少なくとも１つの両方の結合に特有な第一のシグナルを得ること  （ここでバックグラウンドカットオフを上回る第一のシグナル強度は第一の試験表面についての陽性の結果として特性評価される）；および
第二の試験表面から、第二の試験表面への試料からのイムノグロブリンの少なくとも１つおよび天然のイムノグロブリン―Ｃ１ｑ複合体の少なくとも１つの両方の結合に特有な第二のシグナルを得ること（ここでバックグラウンドカットオフを上回る第二のシグナル強度は第二の試験表面についての陽性の結果として特性評価される）
を含む、抗体および補体プロファイルを特性評価するための方法。
【請求項１１】
共通の試験表面；
第一のプロセスにより食物から抽出される第一の食物抗原を含む共通の試験表面上の第一のコ―ティング；
第二のプロセスにより該食物から抽出される第二の食物抗原を含む該共通の試験表面上の第二のコ―ティング；および
第三のプロセスにより該食物から抽出される第三の食物抗原を含む該共通の試験表面上の第三のコ―ティング、
を含む、抗体およびＣ１ｑプロファイルを特性評価するための試験表面であって、
第二のコ―ティングが第一のコ―ティングの適用に続いて該共通の試験表面に適用され、かつ第三のコ―ティングが第二のコ―ティングの適用に続いて該共通の試験表面に適用される、試験表面。
【請求項１２】
第一の食物抗原が水溶性タンパク質、アルコ―ル可溶性タンパク質、アルカリ可溶性タンパク質、糖脂質、多糖、および糖タンパク質からなる群から選択される、請求項１１に記載の試験表面。  
【請求項１３】
第二の食物抗原が水溶性タンパク質、アルコ―ル可溶性タンパク質、アルカリ可溶性タンパク質、糖脂質、多糖、および糖タンパク質からなる群から選択される、請求項１１または１２に記載の試験表面。
【請求項１４】
第三の食物抗原が水溶性タンパク質、アルコ―ル可溶性タンパク質、アルカリ可溶性タンパク質、糖脂質、多糖、および糖タンパク質からなる群から選択される、請求項１１〜１３のいずれか一項に記載の試験表面。
【請求項１５】
共通の試験表面を提供すること；
第一の食物抗原調製物の第一の食物抗原の少なくとも一部分が共通の試験表面と複合することを可能にするために十分な期間にわたり共通の試験表面と第一の食物抗原調製物を接触させること；
第一の食物抗原調製物との接触に続いて、第二の食物抗原調製物の第二の食物抗原の少なくとも一部分が共通の試験表面と複合することを可能にするために十分な期間にわたり共通の試験表面と第二の食物抗原調製物を接触させること；および
第二の食物抗原調製物との接触に続いて、第三の食物抗原調製物の第三の食物抗原の少なくとも一部分が共通の試験表面と複合することを可能にするために十分な期間にわたり共通の試験表面と第三の食物抗原調製物を接触させること、
を含む、食物感受性を特性評価するための試験表面を製造する方法であって、第一の食物抗原調製物、第二の食物抗原調製物、および第三の食物抗原調製物が同じ食物から調製される、方法。
【請求項１６】
第二の食物抗原調製物と共通の試験表面を接触させるより前に第一の食物抗原調製物から非複合物質を除く工程をさらに含む、請求項１５に記載の方法。
【請求項１７】
除く工程が界面活性剤を含有する溶液と共通の試験表面を接触させることを含む、請求項１６に記載の方法。
【請求項１８】
第三の食物抗原調製物と共通の試験表面を接触させるより前に第二の抗原調製物から非複合物質を除く工程をさらに含む、請求項１５〜１７のいずれか一項に記載の方法。
【請求項１９】
除く工程が界面活性剤を含有する溶液と共通の試験表面を接触させることを含む、請求項１８に記載の方法。
【請求項２０】
ブロッキング溶液と共通の試験表面を接触させる工程をさらに含む、請求項１５〜１９のいずれか一項に記載の方法。
【請求項２１】
試験プレ―トを含む抗体およびＣ１ｑ結合プロファイルを特性評価するための試験キットであって、試験プレ―トが請求項１１に記載の複数の共通の試験表面を含む、キット。
【請求項２２】
複数の共通の試験表面が第一の食物からの抗原を含む第一の試験表面および第二の食物からの抗原を含む第二の試験表面を含む、請求項２１に記載の試験キット。